Podtech/llm-jp-corpus-v4-ja_patent huggingface dataset:
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
エポキシド官能基を含む少なくとも１種の主要エラストマー；主要補強用充填剤としてのシリカ；このシリカを被覆するための薬剤；並びに、下記の一般式(I)を有するポリカルボン酸と下記の一般式(II)を有するイミダゾールを含む前記エラストマーを架橋させるための系をベースとするゴム組成物：
一般式(I)：
【化１】
2017519873.tif 000001
(I)
(式中、Aは、共有結合、または少なくとも１個の炭素原子を含み、任意に置換されていてもよく、且つ任意に、１個以上のヘテロ原子によって遮断されていてもよい炭化水素基を示す)；
一般式(II)：
【化２】
2017519873.tif 000002
(II)
(式中、・R1は、炭化水素基または水素原子を示し；
・R2は、炭化水素基を示し；
・R3およびR4は、互いに個々に、水素原子または炭化水素基を示し；
・或いは、R3およびR4は、これらR3およびR4が結合している前記イミダゾール環の炭素原子と一緒に環を形成する)。
【請求項２】
エポキシド官能基を含む前記主要ジエンエラストマーが、30〜100phrを、0〜70phrの１種以上の小量のエポキシド化されていないエラストマーとのブレンドとして示す、請求項１記載の組成物。
【請求項３】
エポキシド官能基を含む前記主要エラストマーが、0.1%〜80％の範囲内のモルエポキシ化度を示す、請求項１または２記載の組成物。
【請求項４】
エポキシ化官能基を含む前記主要エラストマーが、エポキシ化ジエンエラストマー、エポキシ化オレフィンエラストマーおよびこれらの混合物からなる群から選ばれる、請求項１〜３のいずれか１項記載の組成物。
【請求項５】
Aが、共有結合、または1〜1800個の炭素原子を含む２価の炭化水素基を示す、請求項１〜４のいずれか１項記載の組成物。
【請求項６】
ポリ酸の含有量が、0.2〜100phrの範囲内である、請求項１〜５のいずれか１項記載の組成物。
【請求項７】
・R1が、水素原子、或いは1〜20個の炭素原子を有するアルキル基、5〜24個の炭素原子を有するシクロアルキル基6〜30個の炭素原子を有するアリール基または7〜25個の炭素原子を有するアラルキル基を示し、前記の各基は、任意に、１個以上のヘテロ原子によって遮断されていてもよくおよび/または置換されていてもよく；
・R2が、1〜20個の炭素原子を有するアルキル基、5〜24個の炭素原子を有するシクロアルキル基6〜30個の炭素原子を有するアリール基もしくは7〜25個の炭素原子を有するアラルキル基を示し、前記の各基は、任意に、１個以上のヘテロ原子によって遮断されていてもよくおよび/または置換されていてもよく；
・R3およびR4が、個々に、水素または1〜20個の炭素原子を有するアルキル基、5〜24個の炭素原子を有するシクロアルキル基6〜30個の炭素原子を有するアリール基または7〜25個の炭素原子を有するアラルキル基から選ばれる同一または異なる基を示し、これらの基は、任意に、１個以上のヘテロ原子によって遮断されていてもおよび/または置換されていてもよく；或いは、R3およびR4が、これらR3およびR4が結合している前記イミダゾール環の炭素原子と一緒に、5〜12個の炭素原子を含む芳香環、ヘテロ芳香環または脂肪族環から選ばれる環を形成する、請求項１〜６のいずれか１項記載の組成物。
【請求項８】
R1が、2〜12個の炭素原子を有するアルキル基または7〜13個の炭素原子を有するアラルキル基から選ばれる基を示し、これらの基は、任意に、置換されていてもよい、請求項１〜７のいずれか１項記載の組成物。
【請求項９】
前記シリカを被覆するための薬剤が、アミン、グアニジン誘導体、アルカリ金属またはアルカリ土類金属水酸化物およびそのような化合物の混合物からなる群から選ばれる、請求項１〜８のいずれか１項記載の組成物。
【請求項１０】
請求項１〜９のいずれか１項記載の組成物を含むタイヤ。
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
神経障害の治療を必要とする患者の神経障害を治療するための組成物であって、サイトカインのシグナル伝達を阻害するには十分であるがサイトカインの産生には実質的に影響しない用量のＶＸ−７４５を含む、前記組成物。
【請求項２】
前記サイトカインはＩＬ−１ベータである、請求項１に記載の組成物。
【請求項３】
前記用量は、サイトカインの産生を阻害するのに必要な血中濃度の半分よりも低い患者の血中濃度をもたらす、請求項１に記載の組成物。
【請求項４】
前記用量は、サイトカインの産生を阻害するのに必要な血中濃度よりも５０％、６０％、７０％、８０％または９０％低い患者の血中濃度をもたらす、請求項３に記載の組成物。
【請求項５】
前記神経障害は、アルツハイマー病、軽度認知障害、血管性認知症、レビー小体病及び認知症；パーキンソン病；脳卒中後の機能回復；前頭側頭型認知症（ＦＴＤ）及び発作性痙性対麻痺（ＰＳＰ）及びその他のタウオパチー；認知薄弱；慢性耳鳴症；ならびにハンチントン病から選択される、請求項１に記載の組成物。
【請求項６】
神経機能の改善を必要とする患者の神経機能を改善するための組成物であって、サイトカインのシグナル伝達を阻害するには十分であるがサイトカインの産生には実質的に影響しない用量のＶＸ−７４５を含む、前記組成物。
【請求項７】
前記組成物の投与が認知を改善する、請求項６に記載の組成物。
【請求項８】
神経障害の治療を必要とする患者の神経障害を治療するための組成物であって、約１５〜４５ｎｇ／ｍＬ、または２０〜約４０ｎｇ／ｍＬ、または約２５〜約３５ｎｇ／ｍＬ、または約３０〜約４０ｎｇ／ｍＬの血中濃度をもたらす用量のＶＸ−７４５を含む、前記組成物。
【請求項９】
前記組成物が追加の治療薬と共に投与されることを特徴とする、請求項１、６または８のいずれか一項に記載の組成物。
【請求項１０】
ある用量のＶＸ−７４５を含む請求項１〜９のいずれか一項に記載の組成物であって、前記用量が１ｍｇ、３ｍｇ、５ｍｇ、１０ｍｇ、１５ｍｇ、２０ｍｇ、２５ｍｇ、３０ｍｇ、３５ｍｇ、４０ｍｇ、４５ｍｇまたは５０ｍｇのＶＸ−７４５の単位用量を含む、前記組成物。
【請求項１１】
前記単位用量が１日１回投与される、請求項１０に記載の組成物。
【手続補正２】
【補正対象書類名】明細書
【補正対象項目名】００１７
【補正方法】変更
【補正の内容】
【００１７】
ＶＸ−７４５は選択的な低分子のｐ３８  ＭＡＰＫ阻害剤であり、Ｖｅｒｔｅｘ  Ｐｈａｒｍａｃｅｕｔｉｃａｌｓ社が関節リウマチ（ＲＡ）の治療用に開発したものである。
【化１】
2017519807.tif 000001
【手続補正３】
【補正対象書類名】明細書
【補正対象項目名】００８４
【補正方法】変更
【補正の内容】
【００８４】
結論
この試験で肢置きならびに７ポイント及び２０ポイントのｎｅｕｒｏｓｃｏｒｅにより測定した機能回復の結果から、ビヒクル処置動物ではｔＭＣＡＯ後の実質的な機能改善があったが、これらの測定ではそれ以上の機能回復は１．５ｍｇ／ｋｇのＶＸ−７４５または４．５ｍｇ／ｋｇの投与ではなかったことが示された。シリンダー試験では明らかにビヒクル処置の機能回復が最小限であり、７日目から３５日目までのシリンダー試験の成績変化は、ビヒクル処置と比べて、１．５ｍｇ／ｋｇのＶＸ−７４５のほうが改善傾向にあった（ｐ＝０．０８８）。これらの測定すべてについて、変化の解析では、１．５ｍｇ／ｋｇのＶＸ−７４５用量群のほうが４．５ｍｇ／ｋｇのＶＸ−７４５群よりも一貫して成績が良いようであり、このことは、ＶＸ−７４５が神経機能に及ぼすあらゆる正の効果は、測定可能な抗炎症効果のない用量レベル、つまりはサイトカインの産生に影響を与えるような血中濃度が得られない用量レベルで発生し、一方で、サイトカインの産生を阻害する血中濃度が得られ、したがって抗炎症効果のある用量レベルは神経機能に及ぼす影響が小さい、という概念をさらに裏打ちするものである。
本発明は、例えば、以下の項目を提供する。
（項目１）
神経障害の治療を必要とする患者の神経障害を治療する方法であって、サイトカインのシグナル伝達を阻害するには十分であるがサイトカインの産生には実質的に影響しない用量のＶＸ−７４５を前記患者に投与することを含む、前記方法。
（項目２）
前記サイトカインはＩＬ−１ベータである、項目１に記載の方法。
（項目３）
前記用量は、サイトカインの産生を阻害するのに必要な血中濃度の半分よりも低い患者の血中濃度をもたらす、項目１に記載の方法。
（項目４）
前記用量は、サイトカインの産生を阻害するのに必要な血中濃度よりも５０％、６０％、７０％、８０％または９０％低い患者の血中濃度をもたらす、項目３に記載の方法。
（項目５）
前記神経障害は、アルツハイマー病、軽度認知障害、血管性認知症、レビー小体病及び認知症；パーキンソン病；脳卒中後の機能回復；前頭側頭型認知症（ＦＴＤ）及び発作性痙性対麻痺（ＰＳＰ）及びその他のタウオパチー；認知薄弱；慢性耳鳴症；ならびにハンチントン病から選択される、項目１に記載の方法。
（項目６）
神経機能の改善を必要とする患者の神経機能を改善する方法であって、サイトカインのシグナル伝達を阻害するには十分であるがサイトカインの産生には実質的に影響しない用量のＶＸ−７４５を前記患者に投与することを含む、前記方法。
（項目７）
認知が改善される、項目６に記載の方法。
（項目８）
神経障害の治療を必要とする患者の神経障害を治療する方法であって、ある用量のＶＸ−７４５またはその薬学的に許容可能な組成物をそれを必要とする患者に投与して、約１５〜４５ｎｇ／ｍＬ、または２０〜約４０ｎｇ／ｍＬ、または約２５〜約３５ｎｇ／ｍＬ、または約３０〜約４０ｎｇ／ｍＬの血中濃度をもたらすことを含む、前記方法。
（項目９）
さらに、追加の治療薬を投与することを含む、項目１、６または８のいずれか一項に記載の方法。
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
２パーセント未満のヘイズを有する光透過性フルオロポリマー組成物であって、アルカリ金属カチオン及び対応するアニオン、又はアルカリ土類金属カチオン及び対応するアニオンのうちの少なくとも１つを含み、前記組成物の総重量に基づき、０．０１〜１重量パーセントの範囲のアルカリ金属カチオン及びアルカリ土類金属カチオンが存在し、前記光透過性フルオロポリマー組成物が少なくとも９０％の可視光透過率を有する、光透過性フルオロポリマー組成物。
【請求項２】
前記組成物の総重量に基づき、０．０５〜１重量パーセントの範囲の前記アルカリ金属カチオン及びアルカリ土類金属カチオンが存在する、請求項１に記載の光透過性フルオロポリマー組成物。
【請求項３】
前記フルオロポリマーが、テトラフルオロエチレン（ＴＦＥ）、フッ化ビニリデン（ＶＤＦ）、フッ化ビニル（ＶＦ）、ヘキサフルオロプロピレン（ＨＦＰ）、クロロトリフルオロエチレン（ＣＴＦＥ）、フルオロアルキルビニルエーテル、フルオロアルコキシビニルエーテル、フッ素化スチレン、フッ素化シロキサン、ヘキサフルオロプロピレンオキシド（ＨＦＰＯ）、ＴＦＥのホモポリマー、エチレンのコポリマー、及びＴＦＥコポリマー；ＴＦＥ、ＨＦＰ、及びＶＤＦのコポリマー；ＶＤＦのホモポリマー；ＶＤＦのコポリマー；ＶＦのホモポリマー；ＨＦＰとＴＦＥのコポリマー；ＴＦＥとプロピレンのコポリマー；ＴＦＥと（ペルフルオロビニル）エーテルのコポリマー；ＴＦＥ、（ペルフルオロビニル）エーテル、及び（ペルフルオロメチルビニル）エーテルのコポリマー；ＨＦＰ、ＴＦＥ、及びエチレンのコポリマー；クロロトリフルオロエチレンのホモポリマー；エチレンとＣＴＦＥのコポリマー；ＨＦＰＯのホモポリマー；４−フルオロ−（２−トリフルオロメチル）スチレンのホモポリマー；ＴＦＥとノルボルネンのコポリマー；ＨＦＰとＶＤＦのコポリマー；これらの組み合わせ、又はテトラフルオロエチレン、ヘキサフルオロプロピレン、及びフッ化ビニリデンのコポリマーのうちの少なくとも１つである、請求項１又は２に記載の光透過性フルオロポリマー組成物。
【請求項４】
表面構造化光透過性フルオロポリマーフィルムを有する物品であって、前記フルオロポリマーフィルムが、アルカリ金属カチオン及び対応するアニオン、又はアルカリ土類金属カチオン及び対応するアニオンのうちの少なくとも１つを含み、前記フルオロポリマーフィルムの総重量に基づき、０．０１〜１重量パーセントの範囲のアルカリ金属カチオン及びアルカリ土類金属カチオンが存在し、前記表面構造化光透過性フルオロポリマーフィルムが少なくとも９５％の可視光透過率を有する、物品。
【請求項５】
前記フルオロポリマーフィルムの総重量に基づき、０．０５〜１重量パーセントの範囲の前記アルカリ金属カチオン及びアルカリ土類金属カチオンが存在する、請求項４に記載の物品。
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
ａ）エポキシ樹脂と、
ｂ）少なくとも１つの脂環式アミンを含むエポキシ硬化剤と、
ｃ）少なくとも３重量％の金属トリフレート触媒と、
ｄ）任意追加的に、脂肪酸ポリアミドと、
ｅ）任意追加的に、充填材料と、を含む、硬化性組成物。
【請求項２】
ａ）請求項１に記載の硬化性組成物を提供する工程と、
ｂ）サンドイッチ構造中に含まれる空隙の少なくとも一部を前記硬化性組成物で充填する工程と、
ｃ）前記硬化性組成物を硬化させる工程と、を含む、サンドイッチ構造中の空隙を充填する方法。
【請求項３】
工業用途のための、特に建設、自動車、航空、又は航空宇宙産業における製造及び修理作業のための、請求項１に記載の硬化性組成物の使用。
【誤訳訂正書】
【提出日】平成30年5月7日(2018.5.7)
【誤訳訂正１】
【訂正対象書類名】特許請求の範囲
【訂正対象項目名】全文
【訂正方法】変更
【訂正の内容】
【特許請求の範囲】
【請求項１】
酸化チタン及び炭素を含む表面コーティングを有する電気溶融酸化アルミニウムに基づく砥粒であって、温度処理によって前記砥粒表面で形成された酸化チタン及び炭素粒子の化合物が、前記砥粒表面に堅固に連結されている砥粒において、
前記砥粒表面と、0.01μm〜10μmの平均粒径を有する前記酸化チタン及び炭素化合物との間に、追加の結合剤なしで直接的な堅固な結合が形成されていることを特徴とする砥粒。
【請求項２】
前記表面に堅固に連結された前記酸化チタン及び炭素化合物が、1μm〜10μmの範囲の平均粒径を有することを特徴とする請求項１に記載の砥粒。
【請求項３】
前記表面コーティングの質量百分率が、未処理砥粒の質量に基づいて、0.01〜5質量%であることを特徴とする請求項１又は２に記載の砥粒。
【請求項４】
前記表面コーティングが、10μm未満の層厚さを有することを特徴とする請求項１〜３のいずれか１項に記載の砥粒。
【請求項５】
前記酸化チタン及び炭素粒子が、前記砥粒表面上に800℃超える温度で焼結されていることを特徴とする請求項１〜４のいずれか1項に記載の砥粒。
【請求項６】
前記酸化チタン及び炭素粒子が、前記砥粒表面上に1000℃超える温度で焼結されていることを特徴とする請求項１〜５のいずれか1項に記載の砥粒。
【請求項７】
前記酸化チタン及び炭素粒子が、前記砥粒表面上に1250℃超える温度で焼結されていることを特徴とする請求項１〜６のいずれか1項に記載の砥粒。
【請求項８】
TiO2と炭素の混合物を用いる場合、焼結前にTiO2対炭素の比が10:1〜1:10であることを特徴とする請求項１〜７のいずれか1項に記載の砥粒。
【請求項９】
酸化チタン及び炭素を含む表面コーティングを有する電気溶融酸化アルミニウムに基づく砥粒の調製方法であって、前記コーティングに応じて形成される酸化チタン及び炭素化合物が、前記砥粒表面に堅固に連結され、砥粒と、10nm〜10μmの平均粒径を有する酸化チタン及び炭素粒子との混合物を作製し、前記酸化チタン及び炭素粒子を、追加の結合剤なしで、800℃超えの温度にて前記砥粒表面上に焼結されることを特徴とする方法。
【請求項１０】
10nm〜50nmの平均粒径を有する高分散性酸化チタンを酸化チタン粒子として使用することを特徴とする請求項９に記載の方法。
【請求項１１】
10nm〜50nmの平均粒径を有するカーボンブラックを炭素粒子として使用することを特徴とする請求項９又は１０に記載の方法。
【誤訳訂正２】
【訂正対象書類名】明細書
【訂正対象項目名】０００８
【訂正方法】変更
【訂正の内容】
【０００８】
電気溶融酸化アルミニウムに基づく砥粒の表面構造を改善する可能性を検索すると、微粒子の反応性酸化チタンによるコーティング及びその後の温度処理に応じて、追加の結合剤なしで、砥粒表面と、10nm〜10μmの平均粒径を有する酸化チタン化合物との間に直接的な堅固な結合が形成される場合に、そのような砥粒が得られることが分かった。
コーティングに特に良く適した基材は、Evonikにより商品名Aeroxide TiO2 P25で提供され、平均主粒径が21nmである発熱性酸化チタンである。さらなる試験は、主粒子の平均径が好ましくは10nm〜1μm、さらに好ましくは10nm〜100nmである、かなり粗いTiO2粒子をそれに応じて採用した反応条件下でうまく使用できることをも示した。
被覆砥粒の光学的分析によって、表面に結合した粒子の分布が相対的に不均一であり、酸化チタン化合物の集中が特に縁、凹所及び割れ目に見られることが分かった。その結果、砥粒の表面に形成される酸化チタン化合物の粒径が相対的に粗く、不均一であり、これは温度処理中に不規則な結晶成長が起こるという事実に起因する可能性が最も高いことも明らかになった。
砥粒縁におけるコーティング粒子のこれらの集中及び砥粒表面の欠陥のため、個々の被覆粒を用いて安定性分析をも行なったところ、酸化チタンを用いて被覆及び焼結された砥粒は、非被覆砥粒に比べて粒子靱性が増すことが分かった。
ボールミル内で粉砕することによる微粒分解を介して砥粒の粒子靱性を決定した。これは12個の鋼球(直径15mm、質量330〜332g)を詰めたボールミル内で毎分188回転にて所定時間10gのコランダム(対応グリットサイズの)を粉砕する。粉砕砥粒を引き続きふるい分け機(Haver Bocker EML 200)で5分間、対応グリットサイズに合わせて規定される、下部ふるいより2階級微細な対応微細ふるいによってふるい分け、微細フラクションを量り分ける。MKZ値は下式から得られる。
【誤訳訂正３】
【訂正対象書類名】明細書
【訂正対象項目名】００１０
【訂正方法】変更
【訂正の内容】
【００１０】
この試験の状況では、同時に還元型酸化チタン化合物を形成することによって個々の砥粒の物理的特性をさらに改善できるように、酸化チタンと炭素の混合物をも用いた。その結果、驚くべきことに、被覆砥粒は、一方で、優れた安定性値を包含し、他方で、部分的のみならず、完全に酸化チタンを炭素と置き換えたときにも良い研削効率が得られることを明らかにすることが分かった。
異なって被覆された砥粒及び非被覆砥粒を用いて800℃〜1400℃の温度で焼結試験を行なった。その結果、一般的に焼結温度の上昇に伴って粒子靱性が増すことが明白になった。さらに、酸化チタン及び／又は炭素で被覆された電気溶融酸化アルミニウムに基づく全ての砥粒の粒子靱性は、非被覆砥粒に比べて、それぞれのコーティングに関する特徴的温度に応じて不均衡に増すことが分かった。この特徴的温度は、全ての場合に800℃、大部分はそれぞれ、1000℃及び1250℃を超え、その結果、酸化チタン及び／又は炭素粒子は800℃超え、好ましくは1000℃超え、さらに好ましくは1250℃超えの温度で焼結される。
【誤訳訂正４】
【訂正対象書類名】明細書
【訂正対象項目名】００１３
【訂正方法】変更
【訂正の内容】
【００１３】
ふるい通過(＝摩耗)を量り分けてMKZ値を決定するという事実のため、これは上表について粒子靱性が高いほど、MKZ値が小さいことを意味する。
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
開裂型架橋モノマーから誘導される重合単位を含むポリマーを含む組成物であって、
前記開裂型架橋モノマーが、少なくとも２つのフリーラジカル重合性基と、式−Ｏ−Ｃ（Ｒ２）（Ｒ３）−Ｏ−（式中、Ｒ２及びＲ３は、独立して、水素、アルキル、又はアリールである。）を有する少なくとも１つの基と、を含み、
５０℃以下のＴｇを有する、組成物。
【請求項２】
前記ポリマーが、１０℃以下のＴｇを有するアルキル（メタ）アクリレートモノマーから誘導される重合単位を含む、請求項１に記載の組成物。
【請求項３】
前記ポリマーが、４〜２０個の炭素原子を有する１つ又は複数の非環状アルキル（メタ）アクリレートモノマーから誘導される重合単位を含む、請求項１に記載の組成物。
【請求項４】
前記組成物が、２５℃及び１Ｈｚにおいて３×１０５Ｐａ超の貯蔵弾性率を有する、請求項１に記載の組成物。
【請求項５】
前記組成物が感圧性接着剤である、請求項１に記載の組成物。
【請求項６】
前記ポリマーが、４〜２０個の炭素原子を有する１つ又は複数のアルキル（メタ）アクリレートモノマーから誘導される重合単位を少なくとも５０重量％含む、請求項１に記載の組成物。
【請求項７】
前記開裂型架橋モノマーが、式：
【化１】
2017519849.tif 000001
（Ｒ１は、水素又はメチルであり、Ｒ２及びＲ３は、独立して、水素、アルキル、又はアリールであり、Ｌ１は、二価結合基である。）、又は
式：
【化２】
2017519849.tif 000002
（Ｒ１は、水素又はメチルであり、Ｒ３は、独立して、水素、アルキル、又はアリールであり、Ｌ１は、二価結合基である。）を有する、請求項１に記載の組成物。
【請求項８】
基材上に請求項１〜７のいずれか一項に記載の組成物を含む、物品。
【請求項９】
断片を含むポリマーを含む組成物であって、
前記断片が、ポリマー鎖に結合したフリーラジカル重合性基及びペンダントヒドロキシル基の反応生成物を含み、
５０℃以下のＴｇを有する、組成物。
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
チャネルの長手軸方向に沿って延在する複数の流体制御チャネルであって、各流体制御チャネルが、表面を含み、かつ前記チャネルにおいて液体を毛管運動させるように構成されている流体制御チャネルと、
前記流体制御チャネルの前記表面の少なくとも一部に共有結合している親水性表面処理と、を含み、
少なくとも１０％の毛管上昇回復率を示す、流体制御フィルム。
【請求項２】
前記親水性表面処理が、非双性イオン性スルホネート、非双性イオン性カルボキシレート、双性イオン性スルホネート、双性イオン性カルボキシレート、双性イオン性ホスフェート、双性イオン性ホスホン酸、双性イオン性ホスホネート、及びこれらの組み合わせから選択される官能基を含む、請求項１に記載の流体制御フィルム。
【請求項３】
前記親水性表面処理が、以下の式（Ｉ）を有する双性イオン性シランを含む、請求項１又は２に記載の流体制御フィルム。
（Ｒ１Ｏ）ｐ−Ｓｉ（Ｑ１）ｑ−Ｗ−Ｎ＋（Ｒ２）（Ｒ３）−（ＣＨ２）ｍ−Ｚｔ−
（Ｉ）
［式中、各Ｒ１は、独立して、水素、メチル基、又はエチル基であり、
各Ｑ１は、独立して、ヒドロキシル、１〜４個の炭素原子を含有するアルキル基、及び１〜４個の炭素原子を含有するアルコキシ基から選択され、
各Ｒ２及びＲ３は、独立して、飽和又は不飽和の、直鎖状、分枝鎖状、又は環状の有機基であり、これらは、任意選択的に基Ｗの原子とともに、互いに結合して環を形成してもよく、
Ｗは、有機連結基であり、
Ｚｔ−は、−ＳＯ３−、−ＣＯ２−、−ＯＰＯ３２−、−ＰＯ３２−、−ＯＰ（＝Ｏ）（Ｒ）Ｏ−、又はこれらの組み合わせ（式中、ｔは、１又は２であり、Ｒは、脂肪族、芳香族、分枝鎖状、直鎖状、環状、又は複素環式基である。）であり、
ｐ及びｍは、１〜１０の整数であり、
ｑは、０又は１であり、
ｐ＋ｑ＝３である。］
【請求項４】
前記親水性表面処理が、以下の式（ＩＩ）を有する非双性イオン性アニオン性シランを含む、請求項１〜３のいずれか一項に記載の流体制御フィルム。
［（ＭＯ）（Ｑ２）ｎＳｉ（ＸＣＨ２Ｖｔ−）３−ｎ］Ｙ２／ｎｒ＋ｒ
（ＩＩ）
［式中、各Ｑ２は、独立して、ヒドロキシル、１〜４個の炭素原子を含有するアルキル基、及び１〜４個の炭素原子を含有するアルコキシ基から選択され、
Ｍは、水素、アルカリ金属、並びに１５０未満の平均分子量かつ１１超のｐＫａを有する強有機塩基の有機カチオンから選択され、
Ｘは、有機連結基であり、
Ｖｔ−は、−ＳＯ３−、−ＣＯ２−、−［ＯＣＨ２ＣＨ２］ｎＯ−、又はこれらの組み合わせであり（式中、ｔは、１又は２であり、ｎは、１〜１０の整数である。）、
Ｙは、水素、アルカリ土類金属、２００未満の平均分子量かつ１１未満のｐＫａを有するプロトン化弱塩基の有機カチオン、アルカリ金属、並びに１５０未満の平均分子量かつ１１超のｐＫａを有する強有機塩基の有機カチオンから選択されるが、ただし、Ｙが、水素、アルカリ土類金属、及び前記プロトン化弱塩基の有機カチオンから選択されるとき、Ｍは水素であり、
ｒは、Ｙの価数に等しく、
ｎは、１又は２である。］
【請求項５】
前記流体制御チャネルの前記表面の少なくとも一部上に設けられる珪質プライマーを更に含み、
前記親水性表面処理が、前記珪質プライマーを介してマイクロチャネルの表面に結合する、請求項１〜４のいずれか一項に記載の流体制御フィルム。
【請求項６】
前記流体制御フィルムが、華氏１５０度（摂氏６５．６度）の高温に４日間曝露した後、前記高温に曝露する前の水の毛管上昇の少なくとも２０％の、水の毛管上昇を提供する、請求項１〜５のいずれか一項に記載の流体制御フィルム。
【請求項７】
流体制御フィルムを形成する方法であって、
流動性材料及び成形用具の成形表面を互いに継続的に線接触させる工程と、
前記流動性材料内に複数のマイクロチャネルを形成する工程と、
前記流動性材料を固化させて細長い流体制御フィルムを形成する工程であって、前記流体制御フィルムが、長手軸方向に沿った長さ及び幅を有し、前記長さが前記幅よりも大きく、前記マイクロチャネルがチャネルの長手軸方向に沿って形成される工程と、
親水性表面処理を前記マイクロチャネルの表面の少なくとも一部に共有結合させる工程であって、前記親水性表面処理が、非双性イオン性スルホネート、非双性イオン性カルボキシレート、双性イオン性スルホネート、双性イオン性カルボキシレート、双性イオン性ホスフェート、双性イオン性ホスホン酸、双性イオン性ホスホネート、及びこれらの組み合わせから選択される官能基を含む工程と、を含む、方法。
【請求項８】
構造化表面を洗浄する方法であって、
構造化表面、及び前記構造化表面の少なくとも一部に共有結合している親水性表面処理を提供する工程と、
前記構造化表面を物質で汚す工程と、
水性流体中に前記構造化表面を浸漬すること、前記構造化表面を水性流体ですすぐこと、前記構造化表面上で水性流体を凝結させること、又は前記構造化表面を洗浄器具で拭き取ること、のうちの少なくとも１つによって、前記物質を除去する工程と、を含み、
前記構造化表面の２次元投影面積の少なくとも５０％が、前記物質を含まない、方法。
【請求項９】
前記構造化表面が、流体制御フィルムを含み、
前記流体制御フィルムが、前記物質の除去後、前記流体制御フィルムを汚す前の水の毛管上昇の少なくとも２０％の、水の毛管上昇を提供する、請求項８に記載の方法。
【請求項１０】
前記流体制御フィルムによる前記水性流体の毛管作用に起因して、前記流体制御フィルムを前記水性流体に浸漬させるか又は前記水性流体ですすぐとき、前記流体制御フィルムが、少なくとも部分的に自己洗浄する、請求項９に記載の方法。
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
長期持久運動中に摂取するドリンク剤であって、当該運動中に失われる水分量より少ない量を摂取することを特徴とする、６００ｍｇ／Ｌ以上のアラニルグルタミンまたはその塩を有効成分として含む、集中力の向上用ドリンク剤。
【請求項２】
２ｇ／Ｌ以上のアラニルグルタミンまたはその塩を有効成分として含む、請求項１記載のドリンク剤。
【請求項３】
集中力の向上が、学習における集中力の向上である、請求項１または２記載のドリンク剤。
【手続補正２】
【補正対象書類名】明細書
【補正対象項目名】００３６
【補正方法】変更
【補正の内容】
【００３６】
方法：
対象者：
12名の男性ランナー（平均 ± SD; 23.5 ± 3.9 歳; 70.7 ± 8.0 kg; 175.5 ± 5.7 cm; 55.9 ± 6.2 ml・kg・min-1）が本研究のためのボランティアとして集まった。全ての手順、リスク、および利益に関する説明を受けた後、各参加者は本研究への参加前にインフォームドコンセントを提出した。研究プロトコルは大学の治験審査委員会により承認された。研究プロトコルは二重盲検のクロスオーバーデザインであった。参加者は、本研究に登録している間、いかなる追加の栄養サプリメントまたは医薬を用いることも許されなかった。栄養サプリメントおよび能力向上薬の使用のスクリーニングは、参加者集めの間に全て記入してもらった既往歴の質問書を通じて行った。
テストプロトコル：
テストプロトコルを図1に示す。4つの異なる時点でデータを取得した。各セッションにおいて、以前に測定された最大酸素摂取量（VO2max）の75%で60分間のランニングを行うよう参加者に求めた。このランニング後、全ての参加者は疲労困憊になるまでVO2maxの90%でランニングを行った。全ての参加者は、いかなる水分補給もなく最初のトライアル（DHY）を行った。このセッションの間、トライアルでの総重量減少を決定した。そして、このセッションの間に生じた液体損失を用いて参加者の発汗速度（L・hr-1）を決定した。研究を継続するために、参加者の発汗速度は1.3 L・hr-1以上であった。次の3つのトライアルの間、15分毎に等量の250mlの液体を参加者に与えた。一つのトライアルの間に参加者はフレーバースポーツドリンクのみ（ELECTのみ）を摂取し、他のトライアルの間に参加者は低（LD: 500 ml当り300 mg）または高（HD: 500 ml当り1g）用量のいずれかで同じフレーバースポーツドリンク中に混合したアラニン-グルタミンサプリメント（SustamineTM）を摂取した。
各運動セッションの開始前および運動の終了時に、上半身および下半身の反応、追跡、および認知機能について参加者をテストした。プロトコルの間、15分毎に酸素消費、呼吸商、および心拍数を測定した。60分のランニングの間の10分毎に、および疲労するまでのランニングを通じて、筋電図（EMG）を測定した。最大EMG出力と比べた平均EMG信号を60分間のランニングおよび疲労するまでのランニングを通じて平均化した。
体水分測定
実験テストの開始の少なくとも1週間前に、連続しない日に2つの予備テストセッションを行った。参加者の体重を食後の体水分正常状態時に幾度か測定し、ベースラインの体重を確定した。凝固点降下により浸透圧（Uosm）について、および屈折率測定により尿比重（Usg）について尿サンプルを分析し、予備日の全てにおいて体水分正常を記録した。Usg≦ 1.020を体水分正常と定義した。
血液測定
各実験セッションの間に、ベースライン（BL）の血液サンプルを運動前に採取した。また、運動セッション中の30分、45分、および60分に追加の血液サンプルを採取した。全ての血液サンプルは、雄ルアーロックアダプターを有する3方コック栓を用いて前腕部の浅静脈に配置した20ゲージのテフロン（登録商標）カニューラを用いて採取した。等張の食塩水を用いて、カニューラを開いたままに維持した。BLの血液サンプルを運動前の15分間の平衡期間後に採取した。各セッションの間、1日の同じ時間に血液サンプルを採取した。
プレーンの、またはEDTA処理したチューブ中に血液サンプルを採取した。微小毛細管技術によるヘマトクリットおよびヘモグロビンについて、血液サンプルを三連で分析する。残りの全血を4oCで15分間1500gで遠心した。生じた血漿および血清を分注し、分析まで-80℃で保存した。サンプルの解凍は一度のみとした。
生化学的分析
自動分析装置（Analox GM7酵素代謝分析装置, Analox Instruments USA, ルーネンバーグ, MA）を用いて血漿グルコースおよび乳酸濃度を二連で決定した。製造者の指示書に従って分光光度計および市販の酵素キット（Abnova, 中れき市, 台湾）を用いて血漿グルタミンを分析した。BioTekEon分光光度計（BioTek, Winooski, VT, USA）を用いて血清の免疫反応性の値を決定した。イオン選択性電極（EasyElectrolyte, Medica, ベッドフォード, MA）により血漿ナトリウムおよびカリウム濃度を調べた。血漿浸透圧を凝固点降下（Model 3320; Micro-Sample Osmometer, Advanced Instruments, Inc., ノーウッド, MA）により測定した。
【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
細菌感染の予防または治療における使用のための式（Ｉ）
【化１】
2017519817.tif 000001
の化合物（式中、
ＲP1は、メチル、エチル、イソプロピル、シクロヘキシルまたはフェニルのいずれかであり、
ＲP2は、メチル、エチル、イソプロピル、シクロヘキシル及びフェニルから選択され、
ＲP3は、エチル、イソプロピル、シクロヘキシル、フェニルまたはピリジルのいずれかであり、
Ａは、Ｓであり、
ＲAは、
【化２】
2017519817.tif 000002
から選択され、式中、
Ｙ1、Ｙ2、Ｙ3、Ｙ4及びＹ9の各々は独立して、ＣＨまたはＮから選択され、式中、Ｙ1、Ｙ2、Ｙ3、Ｙ4及びＹ9のうちの少なくとも３つはＣＨであり、
Ｖは、Ｏ、ＣＨ−ＯＲO1、Ｎ−ＣＯ2−ＲC2またはＮ−ＲN2から選択され、
Ｙ5、Ｙ6、Ｙ7及びＹ8のうちの１つはＣＨ及びＮから選択され、かつその他はＣＨであり、
Ｘは、ＮＨ、ＳまたはＯから選択され、
ＲC1は、Ｏ−ＲO2またはＮＨＲN1から選択され、
ＲO1は、Ｈ及びＣ1-3非分枝アルキルから選択され、
ＲO2は、Ｃ1-3非分枝アルキルから選択され、
ＲN1は、Ｈ及びＣ1-3非分枝アルキルから選択され、
ＲN2は、Ｃ1-3非分枝アルキルであり、
ＲC2は、Ｃ1-3非分枝アルキルまたはＣ3-4分枝アルキルのいずれかであり、
ＲC3は、Ｃ1-3非分枝アルキル及びＣ2Ｈ4ＣＯ2Ｈから選択され、
ＲC4は、ＨまたはＭｅのいずれかであり、
ＲC5は、ＨまたはＭｅのいずれかであり、
ＲC6は、１つまたは２つの任意のメチル置換基を表し、かつ
ｎは、２〜８の整数である）。
【請求項２】
（ａ）ＲP1及びＲP3が同じでありまたは（ｂ）ＲP1及びＲP2が同じである、請求項１に記載の化合物。
【請求項３】
ＲP1、ＲP2及びＲP3が、
（ａ）ＲP1、ＲP2及びＲP3がエチルであるか、
（ｂ）ＲP1、ＲP2及びＲP3がイソプロピルであるか、
（ｃ）ＲP1及びＲP3はフェニルでありかつＲP2はメチルであるか、又は
（ｄ）ＲP1及びＲP2はメチルでありかつＲP3はフェニルであるか、
のいずれかである、請求項２に記載の化合物。
【請求項４】
ＲAがＡ１
【化３】
2017519817.tif 000003
（ここで、Ｙ1、Ｙ2、Ｙ3、Ｙ4及びＹ9のうちの１つ若しくは２つはＮである）
又はフェニルである、請求項１〜３のいずれか一項に記載の化合物。
【請求項５】
ＲAがＡ２
【化４】
2017519817.tif 000004
（ここで、ＶはＯ、ＣＨ−ＯＲO1、Ｎ−ＣＯ2−ＲC2又はＮ−ＲN2である）
である、請求項１〜３のいずれか一項に記載の化合物。
【請求項６】
任意のメチル置換基はない、請求項５に記載の化合物。
【請求項７】
ＲC6によって表される単一のメチル置換基が存在する、請求項５に記載の化合物。
【請求項８】
ＲC6によって表される２つのメチル置換基が存在する、請求項５に記載の化合物。
【請求項９】
ＲAがＡ３
【化５】
2017519817.tif 000005
（ここで、Ｘ、Ｙ5、Ｙ6、Ｙ7及びＹ8は、
（ａ）ＸがＯであり、かつＹ5、Ｙ6、Ｙ7及びＹ8のうちの１つがＮであるか、又は
（ｂ）ＸがＮＨであり、かつＹ5、Ｙ6、Ｙ7及びＹ8がＣＨであるか、
のいずれかである）
である、請求項１〜３のいずれか一項に記載の化合物。
【請求項１０】
ＲAがＡ４
【化６】
2017519817.tif 000006
であり、且つＲC1が
（ａ）Ｏ−ＲO2（ここで、ＲO2はメチルである）又は
（ｂ）ＮＨＲN1（ここで、ＲN1はＨである）
である、請求項１〜３のいずれか一項に記載の化合物。
【請求項１１】
ＲC4及びＲC5が、
（ａ）両方ともＨであるか、
（ｂ）ＲC4がＨでありかつＲC5はＭｅであるか、又は
（ｃ）両方ともＭｅであるか、
のいずれかである、請求項１０に記載の化合物。
【請求項１２】
ＲAがＡ５
【化７】
2017519817.tif 000007
（ここで、ＲC3はメチル又はＣ2Ｈ4ＣＯ2Ｈである）
である、請求項１〜３のいずれか一項に記載の化合物。
【請求項１３】
ｎが４〜８の整数である、請求項１２に記載の化合物。
【請求項１４】
予防及び／または治療される前記細菌感染は、１つ以上のグラム陽性細菌による感染である、請求項１〜１３のいずれか一項に記載の化合物。
【請求項１５】
予防及び／または治療される前記細菌感染は、１つ以上のグラム陰性細菌による感染である、請求項１〜１３のいずれか一項に記載の化合物。
【請求項１６】
請求項１〜１３のいずれか一項に記載の化合物を被覆または含浸した医用装置。
【請求項１７】
式（Ｉ）
【化８】
2017519817.tif 000008
の化合物であって、式中ＲP1、ＲP2、ＲP3、Ａ及びＲAは、請求項１〜１３のいずれか一項に記載のとおりであり、但し、ＲAがＡ１である場合にはＹ1、Ｙ2及びＹ9はＣＨでありかつＹ3及びＹ4はＮであり、ＲAがＡ３である場合にはＹ5、Ｙ6、Ｙ7及びＹ8のうちの１つはＮである、前記化合物。
【請求項１８】
請求項１７に記載の化合物を含む医薬組成物。
【請求項１９】
医薬として許容され得る希釈剤または賦形剤も含む、請求項１８に記載の医薬組成物。
【請求項２０】
療法の方法における使用のための、請求項１７に記載の化合物。
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
骨髄穿刺により取得可能な細胞と顆粒球コロニー刺激因子(G-CSF)とを、対象者におけ
る心筋症の治療法において同時に、個別に、又は連続して使用するための複合調製物として含む医薬組成物であって、前記細胞は、前記対象者の心筋に直接投与される、医薬組成物。
【請求項２】
複能性又は多能性前駆細胞と顆粒球コロニー刺激因子(G-CSF)とを、対象者における心
筋症の治療法において同時に、個別に、又は連続して使用するための複合調製物として含む医薬組成物であって、前記細胞は、前記対象者の心筋に直接投与される、医薬組成物。
【請求項３】
前記細胞は、骨髄穿刺により取得可能であり、又は、取得されている請求項1又は2記載の使用のための医薬組成物。
【請求項４】
前記心筋症は、虚血性心筋症である、請求項1乃至3の何れかに記載の使用のための医薬組成物。
【請求項５】
前記心筋症は、原因が非虚血性である、請求項1乃至3の何れかに記載の使用のための医薬組成物
【請求項６】
前記細胞は、複能性又は多能性成体幹細胞、又は、CD34+骨髄幹細胞を含む、請求項1乃至5の何れかに記載の使用のための医薬組成物。
【請求項７】
前記細胞は、自己由来である、請求項1乃至6の何れかに記載の使用のための医薬組成物。
【請求項８】
前記細胞は、経皮心筋内注射により投与される、請求項1乃至7の何れかに記載の使用のための医薬組成物。
【請求項９】
前記細胞の投与の前に、対象者の心臓、又は、左心室の三次元電気機械的マッピングを実施し、マッピングの結果を用いて投与部位又は投与部位群が決定される、請求項1乃至8の何れかに記載の使用のための医薬組成物。
【請求項１０】
前記細胞は、前記電気機械的マッピングにより決定された、6.9mV乃至11mVの単極電圧
を有する心筋の少なくとも1つの領域に直接投与される、請求項9記載の使用のための医薬組成物。
【請求項１１】
前記細胞は、前記電気機械的マッピングにより決定された、少なくとも5mmの心筋壁厚
を有する少なくとも1箇所の心筋の領域に直接投与される、請求項9又は10記載の使用のための医薬組成物。
【請求項１２】
前記細胞は、心筋内の少なくとも5箇所の異なる場所に投与され、前記場所のうち任意
の2箇所間の最小距離は、約1cmである、請求項9乃至11の何れかに記載の使用のための医
薬組成物。
【請求項１３】
前記電気機械的マッピング及び経皮心筋内注射は、2014年6月10日現在、NOGA XP Cardiac Navigation Systemの商標名で販売されている機器を含むシステムにより実施されている、請求項8乃至12の何れかに記載の使用のための医薬組成物。
【請求項１４】
前記G-CSFは、皮下投与される、請求項1乃至13の何れかに記載の使用のための医薬組成物。
【請求項１５】
前記G-CSFは、少なくとも5日の期間に亘り投与される、請求項1乃至14の何れかに記載
の使用のための医薬組成物。
【請求項１６】
前記細胞は、G-CSF投与終了直後の1日以内に投与される、請求項1乃至15の何れかに記
載の使用のための医薬組成物。
【請求項１７】
骨髄穿刺により得られた前記細胞は、非自動方法により取得可能であり、前記非自動方法は、骨髄穿刺後、単核細胞が血漿及び無核細胞から実質的に分離されるように実施される、骨髄穿刺により対象者から得られた試料の遠心分離を含む、請求項3乃至16の何れか
に記載の使用のための医薬組成物。
【請求項１８】
前記遠心分離は、多糖類を含む溶液中にある時に試料に対して実施され、前記溶液は、単核細胞を血漿及び無核細胞から実質的に分離するのに十分な浸透圧及び密度を有する、請求項17記載の使用のための医薬組成物。
【請求項１９】
前記方法は、濾過と生理食塩水による前記試料の洗浄とを、その遠心分離前に含む、請求項17又は18記載の使用のための医薬組成物。
【請求項２０】
前記方法は、更に、前記細胞の投与前に、ステップ(a)乃至(d)、及び任意にステップ(e)を含み、即ち、
(a)前記単核細胞の遠心分離による細胞ペレットの作成と、
(b)好ましくは生理食塩水中での前記細胞ペレットの再懸濁と、
(c)前記再懸濁細胞ペレットの更なる遠心分離による別の細胞ペレットの作成と、
(d)好ましくは生理食塩水中での前記別の細胞ペレットの再懸濁と、
(e)対象者から得られた自己血清中での(d)で得られた懸濁液の希釈と、を含む、請求項17乃至19の何れかに記載の使用のための医薬組成物。
【請求項２１】
骨髄穿刺により取得可能な細胞、又は複能性若しくは多能性前駆細胞と、G-CSFと、前
記細胞の心筋への直接投与を明記する使用説明書とを含む無菌要素を備えるキット。
【請求項２２】
骨髄穿刺により取得可能な細胞、又は複能性若しくは多能性前駆細胞と、G-CSFと、前
記細胞を心筋に直接送達するように構成された注射器とを含む無菌要素を備えるキット。
【請求項２３】
更に、心臓、好ましくは左心室の三次元電気機械的マッピング用のシステムを含む、請求項22記載の無菌要素を備えるキット。
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
使い捨て飲料容器内に提供される複数の異なるタイプの飲料を製造するための飲料ディスペンサーであって、
前記飲料容器を受容するように構成された浸出チャンバーと、
前記浸出チャンバー内へ水をポンプ送出するように構成されたポンプと、
前記浸出チャンバーへポンプ送出された水を加熱するように構成されたヒーターと、
前記飲料容器から前記飲料に関する飲料情報を得るための情報システムと、
浸出圧力、浸出温度、及び浸出時間を含む複数の浸出パラメータを、前記飲料情報の関数として設定することができるコントローラと、
を含んでいる、
飲料ディスペンサー。
【請求項２】
前記コントローラが前記ポンプのオン／オフ時間を変化させることによって、前記浸出圧力を制御する、
請求項１に記載の飲料ディスペンサー。
【請求項３】
前記コントローラが前記ヒーターのオン／オフ時間を変化させることによって、前記浸出温度を制御する、
請求項１に記載の飲料ディスペンサー。
【請求項４】
前記情報システムが、前記飲料容器の１つの部分における穴の存在の有無を感知し得る光学センサーシステムを含んでいる、
請求項１に記載の飲料ディスペンサー。
【請求項５】
前記光学センサーシステムが、前記飲料容器の前記部分の一方の側に配置された光源と、前記飲料容器の前記部分の反対側に配置された複数の光センサーと、を含んでいる、
請求項４に記載の飲料ディスペンサー。
【請求項６】
前記飲料情報が、飲料のタイプであり、前記コントローラは、前記浸出パラメータを、前記飲料のタイプの関数として取得している、
請求項５に記載の飲料ディスペンサー。
【請求項７】
前記コントローラが、浸出パラメータを含むパラメータ・ルックアップテーブルを含み、前記飲料のタイプが、前記浸出パラメータに対するキーである、
請求項６に記載の飲料ディスペンサー。
【請求項８】
前記飲料容器が、タブを含み、前記部分が、前記タブの一部としてさらに定義されている、
請求項７に記載の飲料ディスペンサー。
【請求項９】
前記飲料情報が、検証コードを含み、前記コントローラが、前記検証コードに基づいて、偽造飲料容器を認識するように構成されている、
請求項８に記載の飲料ディスペンサー。
【請求項１０】
前記情報システムが、１つ又は２つ以上のユーザー調節可能なデータビットを読むことができ、前記コントローラは、前記ユーザー調節可能なデータビットの関数として飲料をカスタマイズするように構成されている、
請求項１に記載の飲料ディスペンサー。
【請求項１１】
リモートデバイスのネットワークと一緒に使用するように構成された飲料ディスペンサーであって、
異なる成分を含む複数の異なるタイプの飲料を浸出させる浸出チャンバーと、
ユーザー情報を得るための、また、リモートデバイスのネットワーク内の少なくとも１つのリモートデバイスと通信するための、通信システムを含んでいる、飲料の推奨を提供するためのユーザー支援システムと、
を含み、前記リモートデバイスの少なくとも１つが、前記飲料の推奨に関連するネットワーク情報を、前記通信システムに提供するように構成されており、前記ネットワーク情報が、複数のリモートデバイスから得られた情報に基づいており、前記ユーザー支援システムが、前記飲料の推奨を、前記ユーザー情報及び前記ネットワーク情報の関数として提供し得る、コントローラを含んでいる、
飲料ディスペンサー。
【請求項１２】
前記通信システムが、ユーザーと連携するパーソナルデバイスから情報を得るように構成されている、
請求項１１に記載の飲料ディスペンサー。
【請求項１３】
前記ユーザー情報が、ユーザーの食事及び運動に関連する情報を含んでいる、
請求項１１に記載の飲料ディスペンサー。
【請求項１４】
前記ネットワーク情報が、複数のリモートデバイスから経時的に得られた履歴情報の代表であり、前記履歴情報が、以前の飲料の推奨の有効性を反映している、
請求項１３に記載の飲料ディスペンサー。
【請求項１５】
前記ユーザー情報が、ユーザーの健康状態に関連する情報を含んでいる、
請求項１４に記載の飲料ディスペンサー。
【請求項１６】
さらに、飲料添加物を飲料製剤中に導入するための飲料添加物システムを含み、前記ユーザー支援システムが、前記飲料の推奨に飲料添加物を含むことができる、
請求項１１に記載の飲料ディスペンサー。
【請求項１７】
前記飲料添加物が、栄養サプリメントを含んでいる、
請求項１６に記載の飲料ディスペンサー。
【請求項１８】
前記複数の異なるタイプの飲料が、複数の異なる伝統中国医学ハーブティを含んでいる、
請求項１７に記載の飲料ディスペンサー。
【請求項１９】
前記ユーザー情報が、ユーザーが推奨された飲料を消費したかどうかを示す情報と、推奨された飲料の有効性を示す情報とを含んでいる、
請求項１１に記載の飲料ディスペンサー。
【請求項２０】
前記ユーザー支援システムが、ユーザーインターフェイスを含み、前記ユーザーインターフェイスが、ユーザーからの前記ユーザー情報の少なくとも一部を、前記飲料ディスペンサーが請求して受信するのを可能にするようにされている、
請求項１９に記載の飲料ディスペンサー。
【請求項２１】
リモートデバイスの前記ネットワークが、ユーザーの身体活動、ユーザーの消費活動、及びユーザーの睡眠活動、に関する情報を得る複数のデバイスを含んでいる、
請求項２０に記載の飲料ディスペンサー。
【請求項２２】
前記ユーザー支援システムが、前記ユーザー情報及び前記ネットワークに基づいて前記飲料の推奨を生成し得るコントローラを含んでいる、
請求項２１に記載の飲料ディスペンサー。
【請求項２３】
前記ユーザー支援システムが、前記ユーザー情報を、前記リモートデバイスの少なくとも１つに伝達し、これにより、前記ユーザー情報を、前記ネットワーク情報内に組み込むことができる、
請求項２２に記載の飲料ディスペンサー。
【手続補正書】
【提出日】平成30年5月17日(2018.5.17)
【手続補正１】
【補正対象書類名】明細書
【補正対象項目名】０１０１
【補正方法】変更
【補正の内容】
【０１０１】
図３は、第１のハーフシェル８に受け入れられる一次薬物送達アセンブリ１６および二次薬物送達アセンブリ１７を示している。設定要素３５は、第２の長手方向軸５周りの設定要素３５の回転が用量ノブに直接移されるように、二次薬物送達アセンブリ１７の用量ノブに取り付けられる。設定要素３５の近位端は、第１のハーフシェル８によってもたらされる閉リング４９に受け入れられ、それによって、確実に設定要素３５の回転軸が適切に位置合わせされた状態になる。それによって、確実に、設定要素３５は、第２の長手方向軸５周りに回転する前、回転中および回転後に傾かなくなる。オートカラー３１は、二次薬物送達アセンブリ１７にしっかりと係合し、やはりまた、ハウジングに取り外し可能に受け入れられる。第１のハーフシェル８および第２のハーフシェル９の内面は、ハーフシェル８、９が組み付けられるとき、オートカラー３１をしっかりと収容するいくつかのウェブを含む。したがって、二次薬物送達アセンブリ１７は、ハウジング７に対してオートカラー３１によって回転方向に軸方向に拘束される。それによって、ハウジング内における二次薬物送達アセンブリ１７の適切な位置、および一次薬物送達アセンブリ１６に対する二次薬物送達アセンブリ１７の適切な位置が確実になる。
【手続補正２】
【補正対象書類名】明細書
【補正対象項目名】０１０８
【補正方法】変更
【補正の内容】
【０１０８】
図４ａでは、第２の係合セクション５３および第１の係合セクション５５は係合していない。したがって、アクチュエータ３４は、作動カラー３７に対して軸方向に自由に動くことができる。患者は、一次薬剤の用量を設定するのに受容要素３８を回転させる必要があり、それによって用量ダイヤルスリーブ１９が近位方向に動かされる。アクチュエータ３４は、受容要素３８の近位方向の変位によってアクチュエータ３４が第２の係合セクション５３およびハウジング７に対して近位方向に動かされるように、受容要素３８に連結される。したがって、一次薬剤用量の設定の間、一次薬物送達アセンブリ１６および二次薬物送達アセンブリ１７の用量設定機構は、機械的にリンクされず、それによって相互干渉が防止される。